(57)【要約】【課題】把持力を高め、より多様なワークを把持することが可能な把持ツールおよび把持システムを提供する。【解決手段】実施形態に係る把持ツールは、把持部および吸着パッドを備える。把持部は、可撓性を有し、内部に粉粒体が設けられている。吸着パッドは、ワークを吸着するパッド部と、前記パッド部に接続された管状部材と、を有し、前記把持部に囲まれている。前記吸着パッドは、前記把持部に対して、前記パッド部から前記管状部材に向かう第１方向に移動可能に構成されている。【選択図】図１
2018149640.tif 000002
【特許請求の範囲】
【請求項１】
可撓性を有し、内部に粉粒体が設けられた把持部と、
ワークを吸着するパッド部と、前記パッド部に接続された管状部材と、を有し、前記把持部に囲まれた吸着パッドと、
を備え、
前記吸着パッドは、前記把持部に対して、前記パッド部から前記管状部材に向かう第１方向に移動可能に構成された把持ツール。
【請求項２】
前記パッド部をワークに吸着させるとともに前記把持部に対して前記第１方向へ移動させ、且つ前記把持部を前記ワークに接触させて前記把持部の内部を減圧することで、ワークを把持する請求項１記載の把持ツール。
【請求項３】
前記吸着パッドのパッド部は、ワークに接触していない状態において、前記把持部よりも、前記第１方向と反対の第２方向側に位置する請求項１または２に記載の把持ツール。
【請求項４】
前記把持部に対して固定されたガイド機構と、
前記吸着パッドに対して固定され、前記ガイド機構に沿って前記パッド部と前記管状部材とを結ぶ線方向に摺動する摺動部材と、
をさらに備え、
前記吸着パッドがワークに対して押圧された際に、前記吸着パッドが前記把持部に対して前記第１方向へ移動するとともに、前記摺動部材が前記ガイド機構に沿って前記第１方向へ摺動する請求項１〜３のいずれか１つに記載の把持ツール。
【請求項５】
前記吸着パッドは、ワークに接触していない状態において、前記把持部に対して、前記第１方向と反対の第２方向に付勢されている請求項１〜４のいずれか１つに記載の把持ツール。
【請求項６】
前記把持部の外周を保持する保持部をさらに備え、
前記把持部は、前記パッド部と前記管状部材とを結ぶ線方向に変形可能に構成された請求項１〜５のいずれか１つに記載の把持ツール。
【請求項７】
前記把持部に対して固定されたシリンダと、
前記シリンダ内に設けられ、前記パッド部と前記管状部材とを結ぶ線方向に摺動可能に設けられたピストンと、
をさらに備え、
前記管状部材は、前記ピストンに連結され、
前記吸着パッドは、ワークに対して押圧された際に、前記ピストンが前記シリンダ内を前記第１方向へ摺動することで、前記把持部に対して前記第１方向へ移動する請求項１〜３のいずれか１つに記載の把持ツール。
【請求項８】
アームを有するロボット機構と、
前記アームの先端に取り付けられた、請求項１〜７のいずれか１つに記載の前記把持ツールと、
前記把持部の内部空間に接続され、前記内部空間を減圧するための第１減圧装置と、
前記吸着パッドに接続され、前記吸着パッドから気体を吸引するための第２減圧装置と、
前記ロボット機構、前記第１減圧装置、および前記第２減圧装置の動作を制御するコントローラと、
を備えた把持システム。
【発明の詳細な説明】
【技術分野】
【０００１】
本発明の実施形態は、把持ツールおよび把持システムに関する。
【背景技術】
【０００２】
内部に粉粒体が設けられた把持部を把持対象のワークに接触させ、ワークを吸着するとともに把持部の内部を減圧して固化させ、ワークを把持する把持ツールがある。把持ツールは、把持力が高く、様々な形状や性質の物体を把持できることが望ましい。
【先行技術文献】
【特許文献】
【０００３】
【特許文献１】特開２０１２−１７６４７６号公報
【発明の概要】
【発明が解決しようとする課題】
【０００４】
本発明が解決しようとする課題は、把持力を高め、より多様なワークを把持することが可能な把持ツールおよび把持システムを提供することである。
【課題を解決するための手段】
【０００５】
実施形態に係る把持ツールは、把持部および吸着パッドを備える。把持部は、可撓性を有し、内部に粉粒体が設けられている。吸着パッドは、ワークを吸着するパッド部と、前記パッド部に接続された管状部材と、を有し、前記把持部に囲まれている。前記吸着パッドは、前記把持部に対して、前記パッド部から前記管状部材に向かう第１方向に移動可能に構成されている。
【図面の簡単な説明】
【０００６】
【図１】第１実施形態に係る把持ツールの一部を表す斜視図である。
【図２】第１実施形態に係る把持ツールの一部を表す断面図である。
【図３】第１実施形態に係る把持ツールを表す模式断面図である。
【図４】第１実施形態に係る把持ツールによる把持方法を表す断面図である。
【図５】参考例に係る把持ツールの一部を表す断面図である。
【図６】第２実施形態に係る把持ツールを表す模式断面図である。
【図７】第３実施形態に係る把持ツールの一部を表す斜視断面図である。
【図８】第３実施形態に係る把持ツールによる把持メカニズムを表す模式断面図である。
【図９】第４実施形態に係る把持システムを表す概略図である。
【発明を実施するための形態】
【０００７】
以下に、本発明の各実施形態について図面を参照しつつ説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
また、本願明細書と各図において、既に説明したものと同様の要素には同一の符号を付して詳細な説明は適宜省略する。
【０００８】
（第１実施形態）
図１は、第１実施形態に係る把持ツール１の一部を表す斜視図である。
図２は、第１実施形態に係る把持ツール１の一部を表す断面図である。
図３は、第１実施形態に係る把持ツール１を表す模式断面図である。
【０００９】
図１および図２に表すように、第１実施形態に係る把持ツール１は、把持部１０および吸着パッド２０を備える。
【００１０】
把持部１０は、環状に設けられており、可撓性を有する。図２に表すように、把持部１０の内部には、粉粒体１５が設けられている。把持部１０は、保持部３０によって保持されている。吸着パッド２０は、把持部１０の内側に設けられ、把持部１０に囲まれている。吸着パッド２０は、把持部１０および保持部３０に対して移動可能に構成されている。
【００１１】
より具体的には、吸着パッド２０は、パッド部２１および管状部材２２を有する。管状部材２２は、保持部３０に形成された孔３１に挿通されている。パッド部２１は、管状部材２２の一端に接続されている。管状部材２２が孔３１の内側においてパッド部２１と管状部材２２とを結ぶ線方向へ摺動することで、吸着パッド２０が把持部１０に対して当該方向へ移動する。
【００１２】
パッド部２１と管状部材２２とを結ぶ線方向は、例えば、上下方向である。パッド部２１と管状部材２２とを結ぶ線方向は、パッド部２１から管状部材２２に向かう第１方向（上方）と、第２部分１２から第１部分１１に向かう第２方向（下方）と、を含む。以下では、パッド部２１と管状部材２２との位置関係に基づくこれらの「上下方向」「上方」「下方」を用いて、実施形態の説明を行う。
【００１３】
把持部１０および保持部３０には、把持部１０の内部空間と通じる排気ポート４０が設けられている。排気ポート４０には、把持部１０の内部空間を減圧するための第１配管４１が接続されている。また、吸着パッド２０の管状部材２２の他端には、パッド部２１から空気を吸引するための第２配管４２が接続されている。
【００１４】
把持部１０は、例えば、シリコーン樹脂、ゴム材料、アクリル樹脂などの高分子材料で構成される。粉粒体１５には、例えば、マイクロビーズ、シリコーン樹脂ビーズ、コーヒ豆、ガラスビーズ等を用いることができる。
【００１５】
図３に表すように、保持部３０は、連結部材５１を介して、把持ツール１を昇降させるためのロボット５０と連結されている。また、連結部材５１には、ガイド機構５２および摺動部材５３が設けられている。ガイド機構５２は、連結部材５１に固定されており、摺動部材５３は、このガイド機構５２に沿って上下方向に摺動する。摺動部材５３は、固定部材５４によって吸着パッド２０と固定されている。
【００１６】
すなわち、ガイド機構５２は、把持部１０に対して固定されており、摺動部材５３は、吸着パッド２０に対して固定されている。このため、吸着パッド２０が上下方向に移動すると、それに伴って摺動部材５３は、ガイド機構５２に沿って上下方向に摺動する。
【００１７】
固定部材５４と保持部３０との間には、さらに弾性部材５５が設けられている。例えば、把持部１０および吸着パッド２０が把持対象のワークに接触していない初期状態において、弾性部材５５は、自然長に対して引っ張られた状態にある。また、初期状態において、摺動部材５３は、ガイド機構５２に対して限界まで下方へ摺動した位置にあり、ガイド機構５２に設けられた不図示のストッパによって係止されている。
【００１８】
このため、弾性部材５５で生じる弾性力は、ガイド機構５２および摺動部材５３で生じる抗力と釣り合うとともに、吸着パッド２０には、把持部１０および保持部３０に対して下方に向けて力が加えられ、付勢されている。
【００１９】
図４を参照しつつ、第１実施形態に係る把持ツール１による把持方法について説明する。
図４は、第１実施形態に係る把持ツール１による把持方法を表す断面図である。
なお、図４では、第１配管４１および第２配管４２が省略されて表されている。
【００２０】
まず、図３に表す初期状態にある把持ツール１を、把持対象のワークＷの上方へ移動させる。次に、把持ツール１をワークＷに向けて下降させ、図４（ａ）に表すように、吸着パッド２０をワークＷに接触させる。この状態から把持ツール１をさらに下降させ、吸着パッド２０をワークＷに対して押圧するとともに、吸着パッド２０から空気を吸引することでワークＷを吸着する。
【００２１】
吸着パッド２０は、上述したように、把持部１０に対して下方に付勢されている。把持ツール１を下降させ、ワークＷから吸着パッド２０に加わる抗力が、初期状態において弾性部材５５で生じている弾性力よりも大きくなると、弾性部材５５が伸びて摺動部材５３が上方へ摺動するとともに、吸着パッド２０が把持部１０に対して上方へ移動する。これにより、吸着パッド２０のパッド部２１が把持部１０の下端よりも上方に移動し、図４（ｂ）に表すように、ワークＷの外周に把持部１０が接触する。
【００２２】
把持部１０がワークＷに接触し、ワークＷの外形に倣って変形した状態で、図４（ｃ）に表すように、把持部１０の内部を減圧する。これにより、把持部１０がワークＷの形状に沿って固化し、吸着パッド２０によって吸着されたワークＷを、より大きな力で把持することができる。把持部１０および吸着パッド２０によってワークＷを把持した後は、図４（ｄ）に表すように、把持ツール１を上昇させ、所定の位置までワークＷを搬送する。
【００２３】
ここで、第１実施形態に係る発明の効果について、図５を参照しつつ説明する。
図５は、参考例に係る把持ツール１００の一部を表す断面図である。
【００２４】
参考例に係る把持ツール１００は、吸着パッド２０を備えていない点で、第１実施形態に係る把持ツール１と異なる。把持ツール１００では、第２配管４２が、保持部３０の孔３１に直接接続されている。孔３１および第２配管４２を通して、把持部１０に囲まれた空間が減圧されることで、把持対象のワークが把持部１０に吸着される。
【００２５】
把持ツールにおける把持力を高めるためには、第２配管４２から吸引される単位時間当たりの吸引量が大きいことが望ましい。例えば、ワークが通気性を有する場合、把持ツールにおける吸引量が小さいと、外部空間と把持部１０およびワークで囲われた空間との間で圧力差が生じ難く、ワークを十分に吸着できない。また、ワークが軟質である場合、把持後にワークが変形し、変形により生じた隙間から空気が漏れてしまうため、把持部１０によってワークを把持することが難しい。従って、この場合、ワークを強く吸着することで、把持力を高めることが望ましい。
【００２６】
しかし、参考例に係る把持ツール１００の場合、第２配管４２における吸引量を大きくすると、図５（ｂ）に表すように、把持部１０が第２配管４２に向けて吸引され、孔３１を塞いでしまい、ワークを吸着できなくなってしまう。このため、参考例に係る把持ツール１００では、吸引量を高めることができず、通気性を有するワークや、軟質なワークの把持が困難であった。
【００２７】
これに対して、本実施形態に係る把持ツール１では、吸着パッド２０が設けられている。吸着パッド２０を設け、吸着パッド２０から気体を吸引することで、保持部３０の孔３１から吸引する場合に比べて、把持部１０を吸い込み難くなる。
さらに、この吸着パッド２０は、把持部１０に対して上方へ移動可能である。このため、例えば、吸着パッド２０が把持対象に接触して押圧された場合には、吸着パッド２０が把持部１０に対して上方へ移動する。従って、吸着パッド２０が把持部１０を吸い込むことを防止するために吸着パッド２０をより下方に位置させた場合でも、吸着パッド２０が把持部１０と把持対象との接触の妨げになり難い。
すなわち、本実施形態によれば、把持部１０の吸い込みを防止しつつ、把持部１０および吸着パッド２０による把持力を高め、より多様なワークを把持することが可能となる。
【００２８】
より望ましくは、吸着パッド２０のパッド部２１は、図３に表したように、パッド部２１がワークに接触していない状態において、把持部１０よりも下方（第２方向側）に位置する。このような構成によれば、吸着パッド２０から空気を吸引した際に、把持部１０が吸引されることをより一層確実に防止することが可能となる。
【００２９】
なお、図１〜図４では、吸着パッド２０が、ガイド機構５２および摺動部材５３を介して把持部１０および保持部３０と連結されている例について説明したが、本実施形態に係る把持ツール１は、これに限定されない。例えば、吸着パッド２０が、ロボット５０と異なる他のロボットと連結され、この他のロボットによって吸着パッド２０の昇降が制御されても良い。
【００３０】
ただし、吸着パッド２０が、ガイド機構５２および摺動部材５３を介して把持部１０と連結されていることで、吸着パッド２０のワークへの押圧に応じて、吸着パッド２０を把持部１０に対して移動させることが可能となる。従って、吸着パッド２０を移動させるための他のロボットが不要となり、把持ツール１の構成がより簡易になるとともに、把持ツール１を小型化することが可能となる。
【００３１】
さらに、吸着パッド２０が、把持部１０に対して下方に付勢されていることで、吸着パッド２０をワークに押圧した際に、吸着パッド２０がワークからの抗力によって摺動することを抑制できる。すなわち、吸着パッド２０を、より大きな力でワークに押圧させることが可能となる。こうすることで、吸着パッド２０がワークに密着した状態で吸着パッド２０から空気を吸引することができ、吸着パッド２０による吸着力を高めることが可能となる。
【００３２】
（第２実施形態）
図６は、第２実施形態に係る把持ツール２を表す模式断面図である。
第２実施形態に係る把持ツール２は、ガイド機構５２、摺動部材５３、固定部材５４、および弾性部材５５に代えて、シリンダ５６を備える点で、第１実施形態に係る把持ツール１と異なる。
【００３３】
シリンダ５６は、固定部材５８によって連結部材５１に固定されている。すなわち、シリンダ５６は、把持部１０および保持部３０に対して固定されており、把持部１０とともに昇降する。シリンダ５６は、上端が閉塞されており、下方からは吸着パッド２０と連結されたピストン５７が挿入されている。シリンダ５６の内部の空間は、ピストン５７によって空間Ａと空間Ｂに分断されている。空間ＡおよびＢは、外部空間に対して気密であり、それぞれ、配管４３および４４が接続されている。配管４３および４４を通して空間ＡおよびＢに空気を出し入れし、これらの空間の圧力を調整することで、ピストン５７をシリンダ５６内において上下方向に摺動させることができる。すなわち、空間ＡおよびＢの圧力を調整することで、吸着パッド２０を上下方向に任意に移動させることができる。
【００３４】
把持ツール２を下降させ、吸着パッド２０をワークに押し当てると、吸着パッド２０がシリンダ５６に対して上方へ移動する。このとき、シリンダ５６内の空間Ａに空気を入れることで、吸着パッド２０が下方に向けて押圧される。すなわち、本実施形態に係る把持ツール２では、シリンダ５６が、第１実施形態に係る把持ツール１におけるガイド機構５２および摺動部材５３と同様の機能を備える。また、吸着パッド２０を用いずに把持部１０のみを用いてワークを把持したい場合には、シリンダ５６内の空間Ｂに空気を入れることで、吸着パッド２０を上方に移動させることができる。把持部１０を用いずに吸着パッド２０のみを用いてワークを把持したい場合には、吸着パッド２０をワークに押圧しつつ、シリンダ５６内の空間Ａに空気を入れることで、吸着パッド２０の上方への移動を抑制し、ワークに吸着パッド２０のみを接触させることができる。
【００３５】
以上の通り、本実施形態によれば、第１実施形態と同様に、把持ツール２の構成をより簡易なものとし、把持ツール２を小型化することが可能となる。さらに、本実施形態によれば、ワークを把持する際に、把持部１０および吸着パッド２０のいずれかを使用するか、またはこれらの両方を使用するかを適宜選択することが可能となる。
【００３６】
（第３実施形態）
図７は、第３実施形態に係る把持ツール３の一部を表す斜視断面図である。
第３実施形態に係る把持ツール３は、保持部３０の構造について、第１実施形態に係る把持ツール１と差異を有する。把持ツール３において、吸着パッド２０が把持部１０に対して上方に可動である点などは、把持ツール１と同様である。
【００３７】
図７に表すように、保持部３０は、把持部１０の外周を保持している。吸着パッド２０は、把持部１０の中心に形成された孔１１に挿通されている。保持部３０が把持部１０の外周を保持していることで、把持部１０は、保持部３０の内側において上方に変形することが可能となる。
【００３８】
図８は、第３実施形態に係る把持ツール３による把持メカニズムを表す模式断面図である。なお、図８では、第１配管４１および第２配管４２が省略されて表されている。
【００３９】
図８（ａ）に表す初期状態から、把持ツール３を下降させ、図８（ｂ）に表すように、吸着パッド２０および把持部１０をワークＷに順次接触させる。このとき、把持部１０がワークＷの形状に倣って変形する。この状態からさらに把持ツール３を下降させると、図８（ｃ）に表すように、把持部１０が上方へ押し上げられるとともに、側方へ広がり、把持部１０がより大きく変形する。
【００４０】
図８（ｃ）に表すように、把持部１０が上方へ変形可能に構成されていることで、把持部１０がより変形し易くなる。その結果、図８（ｂ）に表した状態に比べて、把持部１０とワークＷとの接触面積が増加し、把持ツール３による把持力を高めることができる。
また、把持部１０が変形し易くなると、それに伴って、空気を吸引した際に把持部１０が変形して塞がれる可能性も高まるが、本実施形態によれば、第１実施形態と同様に把持部１０の吸い込みを防止できる。このため、把持部１０を大きく変形させた場合であっても、把持部１０の吸い込みを防止しつつ、把持ツール３の把持力をさらに高めることが可能となる。
【００４１】
なお、第３実施形態に係る把持ツール３において、第２実施形態に係る把持ツール２と同様に、ガイド機構５２、摺動部材５３、固定部材５４、および弾性部材５５に代えて、シリンダ５６が設けられていても良い。
【００４２】
（第４実施形態）
図９は、第４実施形態に係る把持システム４を表す概略図である。
第４実施形態の把持システム４は、把持ツール１、搬送ロボット９０、第１減圧装置９１、第２減圧装置９２、およびコントローラ９３を備える。
【００４３】
搬送ロボット９０は、アーム９０ａを有する。アーム９０ａは、例えば複数の関節を有し、先端に把持ツール１が取り付けられている。搬送ロボット９０は、コントローラ９３からの指令に従ってアーム９０ａを動作させ、ワークＷの把持および搬送を行う。
【００４４】
第１減圧装置９１および第２減圧装置９２は、真空ポンプを有する。第１減圧装置９１は、図１に表した把持ツール１の第１配管４１と接続される。第２減圧装置９２は、把持ツール１の第２配管４２と接続される。コントローラ９３からの指令に従って第１減圧装置９１が駆動することで、把持部１０の内部空間が減圧されたり、大気開放されたりする。また、コントローラ９３からの指令に従って第２減圧装置９２が駆動することで、吸着パッド２０から空気が吸引されたり、吸引が停止されたりする。
【００４５】
コントローラ９３は、ＣＰＵ（Central Processing Unit）や、ＲＯＭ（Read Only Memory）、不揮発性のフラッシュメモリなどを有する。ＣＰＵでは、コントローラ９３における各種演算処理が実行される。ＲＯＭには、把持システム４の動作に必要な各種制御アリゴリズムや各種定数等が記憶される。フラッシュメモリには、ワークＷの搬送手順や、搬送状況等が適宜記憶して保存される。
【００４６】
コントローラ９３は、フラッシュメモリに記憶されている搬送手順に従って、搬送ロボット９０、第１減圧装置９１、および第２減圧装置９２に指令を送出し、これらの動作を制御する。
【００４７】
把持システム４が、第１実施形態に係る把持ツール１を備えることで、把持ツール１の把持力を高め、より多様なワークを把持することが可能となる。
なお、実施形態に係る把持システム４は、把持ツール１に代えて、第２実施形態または第３実施形態に係る把持ツール２または３を備えていても良い。
【００４８】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４９】
１〜３ 把持ツール、  ４ 把持システム、  １０ 把持部、  １１ 孔、  １５ 粉粒体、  ２０ 吸着パッド、  ２１ パッド部、  ２２ 管状部材、  ３０ 保持部、  ３１ 孔、  ４０ 排気ポート、  ４１ 第１配管、  ４２ 第２配管、  ５０ ロボット、  ５１ 連結部材、  ５２ ガイド機構、  ５３ 摺動部材、  ５４ 固定部材、  ５５ 弾性部材、  ５６ シリンダ、  ９０ 搬送ロボット、  ９０ａ アーム、  ９１ 第１減圧装置、  ９２ 第２減圧装置、  ９３ コントローラ、  １００ 把持ツール、  Ｗ ワーク
【図１】
2018149640.tif 000003
【図２】
2018149640.tif 000004
【図３】
2018149640.tif 000005
【図４】
2018149640.tif 000006
【図５】
2018149640.tif 000007
【図６】
2018149640.tif 000008
【図７】
2018149640.tif 000009
【図８】
2018149640.tif 000010
【図９】
2018149640.tif 000011